(57)【要約】      （修正有）【課題】マスカラを容易に、かつ均一に塗布することができ、使用上便利な電動マスカラブラシを提供する。【解決手段】中空のハンドル１０と、該ハンドルに設けられるブラシ軸１１及びブラシヘッド１２と、マスカラ容器２０とによってなるマスカラブラシであって、該ハンドル内にモータ１３を設け、該モータは両端から回転軸が外方向に延伸し、該回転軸の一端には錘体１４１を嵌設し、他端には減速装置１４を連結し、該錘体は円の中心を外れた位置に該モータの回転軸が連結し、該減速装置の出力軸に該ブラシ軸の一端を連結し、別途電池１８を設けて該モータに電力を供給するとともに、該電池と該モータの間に開閉器１９を介在させて該モータの起動、停止を制御し、該減速装置で該ブラシ軸と、該ブラシ軸に形成したブラシヘッドの回転速度を減速させて、同時に該モータの回転軸の一端に設けた錘体の作用で振動を発生させるように構成する。【選択図】図１
0003153588.tif 000002
【実用新案登録請求の範囲】
【請求項１】
マスカラを塗布する場合に把持する中空のハンドルと、該ハンドルに設けられるブラシ軸及びブラシヘッドと、マスカラを収納したマスカラ容器とによってなるマスカラブラシであって、
該ハンドル内にモータを設け、該モータは両端から回転軸が外方向に延伸し、該回転軸の一端には錘体を嵌設し、他端には減速装置を連結し、
該錘体は円の中心を外れた位置に該モータの回転軸が連結し、
該減速装置の出力軸に該ブラシ軸の一端を連結し、
別途電池を設けて該モータに電力を供給するとともに、該電池と該モータの間に開閉器を介在させて該モータの起動、停止を制御し、
該減速装置で該ブラシ軸と、該ブラシ軸に形成したブラシヘッドの回転速度を減速させて、同時に該モータの回転軸の一端に設けた錘体の作用で振動を発生させるように構成したことを特徴とする電動マスカラブラシ。
【請求項２】
前記開閉器に制御回路を電気的に接続し、該開閉器の操作と該制御回路の制御によって該モータの回転を正転、反転のいずれかに選択できるように構成することを特徴とする請求項１に記載の電動マスカラブラシ。
【請求項３】
前記ハンドルの一端にキャップを着脱自在に設けて閉鎖することを特徴とする請求項１に記載の電動マスカラブラシ。
【請求項４】
前記電池を該ハンドル内に設けるか、もしくは該キャップ内に設けることを特徴とする請求項１、もしくは請求項３に記載の電動マスカラブラシ。
【請求項５】
前記モータと減速装置とを予め位置決め部材に取り付けて、該ハンドル内に固定することを特徴とする請求項３に記載の電動マスカラブラシ。
【請求項６】
前記ブラシ軸の回転速度を２０〜１００ｒｐｍに減速することを特徴とする請求項１に記載の電動マスカラブラシ。
【請求項７】
前記減速装置と該錘体とが、独立した２つのモータにそれぞれ連結することを特徴とする請求項１に記載の電動マスカラブラシ。
【請求項８】
前記独立した２つのモータを連結し、同期して回転するように構成することを特徴とする請求項７に記載の電動マスカラブラシ。
【請求項９】
前記錘体が偏心輪であることを特徴とする請求項１に記載の電動マスカラブラシ。
【考案の詳細な説明】
【技術分野】
【０００１】
この考案は、マスカラを睫に塗布する場合に用いるマスカラブラシに関し、特に電動でマスカラを塗布することができる電動マスカラブラシに関する。
【背景技術】
【０００２】
従来のマスカラブラシは、図７に開示するように中空でキャップとなるハンドル２１と、マスカラ容器２４とによってなる。マスカラを塗布する場合はハンドル２１を把持する。
【０００３】
また、ハンドル１０の内部には、円の中心を通過するブラシ軸２２が外方向に延伸して設けられ、ブラシ軸２２の一端には適宜な長さの刷毛を植設してブラシヘッド２３を形成し、ブラシ軸２２とブラシヘッド２３とによってブラシ部を構成する。
【０００４】
マスカラ容器２４は一端を開口面とし、マスカラを内部に収納し、ブラシ軸２２とブラシヘッド２３とによってなるブラシ部を内部に挿入して収納する。
【０００５】
上述するマスカラブラシを使ってマスカラを睫に塗布する場合は、マスカラ容器２４内に挿入して収納したブラシ部を取り出すと、ブラシヘッド２３にマスカラが付着しているので、ハンドル１０を把持してブラシヘッド２３を睫に接触させ、適宜な量を塗布する。
【０００６】
マスカラを睫に塗布する場合、通常は上下に複数回塗布の動作を行なう。睫をカールさせたい場合は、ブラシヘッド２３を適宜に回転させ、均一にマスカラを塗布する。係る操作は、熟練した技術に頼らなければならならず、また塗布するために多くの時間を必要とする。よって、一般に短時間でマスカラを塗布したり、もしくは化粧直しをしたりすることは難しく、特にブラシヘッド２３を回転さえながら均一にマスカラを塗布操作は、均一に塗布することが難しい。よって、マスカラを塗布する動作に不慣れな使用者にとって、極めて不便であって、化粧をする上での必要性から、マスカラブラシについても改良を加える必要がある。即ち、マスカラを容易に、かつ均一に塗布するための改善を施し、マスカラブラシの使用を簡単にさせる必要がある。
【考案の概要】
【考案が解決しようとする課題】
【０００７】
そこで、本考案は、マスカラを容易に、かつ均一に塗布することができ、使用上便利なマスカラブラシを提供することを課題とする。
【課題を解決するための手段】
【０００８】
そこで、本考案者はマスカラを塗布する場合に把持する中空のハンドル内にモータを設け、該モータは両端から回転軸が外方向に延伸し、該回転軸の一端には錘体を嵌設し、他端には減速装置を連結し、  該錘体は円の中心を外れた位置に該モータの回転軸が連結し、
該減速装置の出力軸に該ブラシ軸の一端を連結し、別途電池を設けて該モータに電力を供給するとともに、該電池と該モータの間に開閉器を介在させて該モータの起動、停止を制御し、該減速装置で該ブラシ軸と、該ブラシ軸に形成したブラシヘッドの回転速度を減速させて、同時に該モータの回転軸の一端に設けた錘体の作用で振動を発生させるように構成した電動マスカラブラシの構造によって課題を解決できる点に着眼し、係る知見に基づいて本考案を完成させた。
【０００９】
以下、この考案について具体的に説明する。
請求項１に記載する電動マスカラブラシは、マスカラを塗布する場合に把持する中空のハンドルと、該ハンドルに設けられるブラシ軸及びブラシヘッドと、マスカラを収納したマスカラ容器とによってなるマスカラブラシであって、
該ハンドル内にモータを設け、該モータは両端から回転軸が外方向に延伸し、該回転軸の一端には錘体を嵌設し、他端には減速装置を連結し、
該錘体は円の中心を外れた位置に該モータの回転軸が連結し、
該減速装置の出力軸に該ブラシ軸の一端を連結し、
別途電池を設けて該モータに電力を供給するとともに、該電池と該モータの間に開閉器を介在させて該モータの起動、停止を制御し、
該減速装置で該ブラシ軸と、該ブラシ軸に形成したブラシヘッドの回転速度を減速させて、同時に該モータの回転軸の一端に設けた錘体の作用で振動を発生させるように構成する。
【００１０】
請求項２に記載する電動マスカラブラシは、請求項１における開閉器に制御回路を電気的に接続し、該開閉器の操作と該制御回路の制御によって該モータの回転を正転、反転のいずれかに選択できるように構成する。
【００１１】
請求項３に記載する電動マスカラブラシは、請求項１におけるハンドルの一端にキャップを着脱自在に設けて閉鎖する。
【００１２】
請求項４に記載する電動マスカラブラシは、請求項１における電池を該ハンドル内に設けるか、もしくは請求項３におけるキャップ内に設ける。
【００１３】
請求項５に記載する電動マスカラブラシは、請求項３におけるモータと減速装置とを予め位置決め部材に取り付けて、該ハンドル内に固定する。
【００１４】
請求項６に記載する電動マスカラブラシは、請求項１におけるブラシ軸の回転速度を２０〜１００ｒｐｍに減速する。
【００１５】
請求項７に記載する電動マスカラブラシは、請求項１における減速装置と該錘体とが、独立した２つのモータにそれぞれ連結する。
【００１６】
請求項８に記載する電動マスカラブラシは、請求項７における独立した２つのモータを連結し、同期して回転するように構成する。
【００１７】
請求項９に記載する電動マスカラブラシは、請求項１における錘体が偏心輪である。
【考案の効果】
【００１８】
この考案によれば、睫にマスカラを塗布する場合、時間をかけず、容易に塗布することができ、かつ均一に塗布することができるとともに、睫をカールさせる場合に従来のマスカラブラシのように、マスカラブラシを操作する上での技術を必要としないので、使用上利便性を具え、さらに使用者の左利き、右利きといった習慣に合わせてブラシヘッドの回転方向を選択することができるという利点を具える。
【図面の簡単な説明】
【００１９】
【図１】この考案による電動マスカラブラシの分解図である。
【図２】この考案による電動マスカラブラシのハンドルとマスカラ容器の外観を示した斜視図である。
【図３】この考案による電動マスカラブラシの断面図である。
【図４】この考案におけるブラシ軸の回転の動作を示した説明図である。
【図５】他の実施の形態による電動マスカラブラシの断面図である。
【図６】図５に開示する電動マスカラブラシのハンドルの外観を示した斜視部である。
【図７】従来のマスカラブラシの外観を示した斜視図である。
【考案を実施するための形態】
【００２０】
この考案による電動マスカラブラシは、図１から図４に開示するように、プラスチック剤によってなり、マスカラを塗布する場合に把持する中空のハンドル１０と、マスカラを収納したマスカラ容器２０とを具える。
【００２１】
ハンドル１０内には、モータ１３と減速装置１４とによってなる伝動減速手段を設ける。該伝動減速手段は一端から外方向に出力軸１５が延伸し、一端に適宜な長さのブラシヘッド１２を形成したブラシ軸１１を出力軸１５に連結する。よって、モータ１３から出力される動力は減速装置１４で回転が減速して出力軸１５に伝動され、ブラシ軸１１とブラシ軸１１の一端に形成したブラシヘッド１２が出力軸１５に同期して回転する。
【００２２】
モータ１３は、上述するように一端に減速装置１４が接続し、他端には回転軸が外方向に延伸して錘体１４１を嵌設する。錘体１４１は通常の偏心輪でよく、円の中心を外れた位置にモータ１３の回転軸が連結するため、モータ１３の駆動によって高速で回転し、高速振動の効果を達成する。したがって、この考案による電動マスカラブラシでは、回転と振動の二種類の動作を同時に行なうことができる。
【００２３】
モータ１３は、ハンドル１０の内壁に凹溝を予め形成し、該凹溝に直接固定するか、もしくは図１、図３に開示するように、予め成型などの方法で作成した位置決め部材１６にモータ１３と伝動減速手段を取り付けてハンドル１０内に固定する。
【００２４】
また、ハンドル１０の一端はキャップ１７を着脱自在に螺着して閉鎖する。キャップ１７内には電池１８を設ける。但し、電池１８はハンドル１０内部に取り付ける位置を予め設けて、直接ハンドル１０内に取り付けて動力を発生させるための電力の供給元としてもよい。キャップ１７に電池１８を設けた場合、電池１８の取替えに便利である。
【００２５】
電池１８の接点から電線でモータ１３に接続する途中にスライド式の開閉器１９を設け、スライド式の電源制御に供すとともに、制御回路によってモータ１３の正転、反転を選択できるようにする。
【００２６】
この考案による電動マスカラブラシを使用する場合、開閉器１９をスライドさせて通電状態にすると、モータ１３が起動し。モータ１３から出力する動力は減速装置１４によって減速制御され、連結するブラシ軸１１が減速された回転速度で回転する。よって、使用者がハンドル１０を把持するだけで、睫にマスカラを塗布することができる。
【００２７】
また、この考案による電動マスカラブラシは、モータ１３の正転、反転を選択できるため、使用者は左利き、右利きの習慣に合わせてブラシ軸１１の回転方向を選択することができ、使用上便利である。
【００２８】
また、この考案による電動マスカラブラシは、ハンドル１０の振動と、ブラシ軸１１の減速回転が同期して作動するという特性を有する。よって、ブラシヘッド１２を利用して睫をカールさせたり、マスカラを均一に塗布したりする場合に効率よく行なうことができる。即ち、睫にマスカラを塗布する場合、均一に塗布することができ、かつ塗布するための時間を節減することができる。
【００２９】
また、モータ１３の回転速度を調整できる簡易な制御構造を設けてもよい。この場合、図５、６に開示するように、開閉器１９の一端に近接した位置に速度調整装置１９１を設ける。よって、実際にマスカラを塗布する場合の必要に応じて、簡易な操作でブラシ軸１１の回転速度と、ハンドル１０の振動率を同期して調整することができ、マスカラブラシによるマスカラの塗布をさらに使いやすくすることができる。
【００３０】
また、モータ１３は、上述するように同一軸で回転と振動の作用を得る方式とする構造以外に、小型の２つのモータを設け、それぞれに減速装置１４と錘体１４１とを設けて配列するか、もしくは連結した構造として、上述する実施例の構造と同様に回転と振動の効果を兼ね備えるようにしてもよい。この場合、スライドスイッチは別々に設けて、回転の制御と振動の制御をそれぞれ独立させて行なうようにしてもよい。かかる簡易な構造の変更も、この考案の実施の範囲に含まれる。
【００３１】
また。マスカラブラシのブラシ軸１１のブラシヘッド１２を形成した部分は、通常マスカラ容器２０内に収納される。この点においては、一般のマスカラ容器にマスカラを収納し、かつブラシヘッドを収納する方式と何ら変わりはなく、特殊な技術を施す必要もない。
【００３２】
この考案による電動マスカラブラシを使用する場合、ハンドル１０を把持し、開閉器１９を操作してモータ１３を起動し、減速装置１４によって３０〜１００ｒｐｍの低速に回転速度を低下させる。かかる低速でブラシ軸１１を回転させると、ブラシヘッド１２が睫に接触した場合、マスカラを均一に塗布することができるのみならず、遠心力、もしくは過大な振動でマスカラが飛び散るとこがない。また、睫のカールを助ける作用を有し、ブラシヘッド１２に付着したマスカラを迅速にブラシの刷毛の末端にガイドすることができ、連続した塗布に供することができる。このため、マスカラブラシを使用する上で、操作が便利で、均一した塗布が得られ、マスカラブラシの品質を高めることができる。さらには睫をカールさせる場合、塗布の技術に依頼することなく、電動により、かつ回転を制御して塗布することができ。実用性と利便性を具える。
【符号の説明】
【００３３】
１０                     ハンドル
１１                     ブラシ軸
１２                     ブラシヘッド
１３                     モータ
１４                     減速装置
１４１                  錘体
１５                     出力軸
１６                     位置決め部材
１７                     キャップ
１８                     電池
１９                     開閉器
１９１                  速度調整装置
２０                     マスカラ容器
２１                     ハンドル
２２                     ブラシ軸
２３                     ブラシヘッド
２４                     マスカラ容器
【図１】
0003153588.tif 000003
【図２】
0003153588.tif 000004
【図３】
0003153588.tif 000005
【図４】
0003153588.tif 000006
【図５】
0003153588.tif 000007
【図６】
0003153588.tif 000008
【図７】
0003153588.tif 000009